(57)【要約】【課題】  引戸を自動的に閉めることができるとともに、スムーズに開くことができるクローザーを提供する。【解決手段】  上枠２の固定フレーム１０に対して可動フレーム１２を回動自在に取り付け、可動フレーム１２の先端側に転動体２５を回動自在に装着する。引戸１が開いているとき、可動フレーム１２は、水平姿勢に保持される。引戸１が閉められると、引戸１に設けた解除体４０が可動フレーム１２に当接し、可動フレーム１２は、ねじりばね１３の付勢力によって下向きに回動可能となる。転動体２５が引戸１のガイド部材１７の案内面１６に沿って転動しながら移動し、可動フレーム１２が引戸１を閉方向側に引き寄せ、引戸１が自動的に閉まる。引戸１を開けるとき、転動体２５は転動しながらガイド部材１７の案内面１６に沿って移動し、可動フレーム１２が上向きに回動する。このとき、可動フレーム１２は引戸１の開方向への移動を妨げず、引戸１はスムーズに開く。【選択図】  図１０
2006063719.tif 000002
【特許請求の範囲】
【請求項１】
枠体に対して開方向および閉方向にスライド自在に支持された引戸が閉められる際に、引戸が閉まろうとする力を緩和させながら全閉位置に導くためのクローザーにおいて、
上記枠体の上枠の閉方向端部に形成された第１の収容凹部に固定される固定フレームと、
この固定フレームの閉方向端部に対して基端部が支軸線周りに回動自在に取り付けられた可動フレームであって、上記引戸が閉まろうとする際に引戸の開閉方向に沿う第１の姿勢から下向きに回動して第１の姿勢と交差する方向に沿う第２の姿勢をとることによって当該引戸を閉方向に引き寄せる一方、上記引戸が開こうとする際に第２の姿勢から上向きに回動して第１の姿勢に戻る可動フレームと、
この可動フレームを上記第１の姿勢から下向きに回動するように付勢するための付勢体と、
上記可動フレームを上記第１の姿勢に保持するための係止手段と、
上記引戸の閉方向側縦枠の上端部に形成された第２の収容凹部において上記第１の姿勢に保持されている上記可動フレームの先端に対向するように配置される衝撃吸収手段であって、上記引戸が閉まるときに、上記可動フレームに当接することによってその衝撃を緩和すると共に上記係止手段による上記可動フレームの保持を解除するための衝撃吸収手段と、
上記第２の収容凹部において上記衝撃吸収手段よりも上記引戸の閉方向下流側に配置される案内面を含み、この案内面と上記衝撃吸収手段との間で上記可動フレームの係合空間を区画するガイド部材と、を備え、
上記可動フレームの先端部には、上記案内面と摺接して転動する転動体が取り付けらており、
上記案内面は、上記引戸の閉動作に伴って上記可動フレームが下向きに回動して上記第１の姿勢から上記第２の姿勢に切り替えられるとき、および上記引戸の開動作に伴って上記可動フレームが上向きに回動して上記第２の姿勢から上記第１の姿勢に切り替えられるときの、上記転動体の転動軌跡に沿った凸状面をなしていることを特徴とする引戸用クローザー。
【請求項２】
上記付勢体は、上記支軸に取り付けられた第１のねじりばねであり、この第１のねじりばねの一端が上記固定フレームに当接し、他端が上記可動フレームに当接して、当該第１のねじりばねは、上記可動フレームを下向きに回動させ、
上記係止手段は、上記固定フレームの開方向端部に形成された引掛片と、上記転動体の回転中心軸周りに回動自在に取り付けられたフックと、フックが上記引掛片に係止する方向に回動するように当該フックを付勢する板ばねとを含み、上記フックが引掛片に係止することによって上記可動フレームの第１の姿勢が保持され、
上記衝撃吸収手段は、上記フックによる上記可動フレームの保持を解除する解除体と、一端が上記第２の収容凹部の壁面に当接しており、他端が上記解除体に当接して、当該解除体を上記フックに当接する方向に付勢する第２のねじりばねと、を含み、解除体が上記フックに当接すると、上記板ばねの付勢力に抗して当該フックが回動されて上記引掛片から離間することを特徴とする請求項１に記載の引戸用クローザー。
【請求項３】
上記衝撃吸収手段およびガイド部材を上記第２の収容凹部内に装着するためのガイドフレームと、
このガイドフレームの閉方向側の面に取り付けられる当該ガイドフレームの取付位置を調整するための目盛り板と、をさらに含むことを請求項１または２に記載の引戸用クローザー。
【発明の詳細な説明】
【技術分野】
【０００１】
本発明は、引戸を自動的に閉めるためのクローザーに関する。
【背景技術】
【０００２】
一般に、列車の車両間、建物の開口や部屋等の間仕切りのために、枠体に対して引戸が開方向および閉方向にスライド自在に設けられる。そして、閉方向に沿ってスライドしてきた引戸が自動的に閉まるようにクローザーが設けられる。
【０００３】
かかる引戸用クローザーは、例えば、特許文献１のように、ばねの付勢力を利用して、引戸を自動的に移動させて全閉とする。
【０００４】
ところで、引戸が勢いよく閉められたとき、当該引戸が枠体に衝突することがある。この衝撃を緩和するために、衝撃緩和装置を設けることも特許文献１に記載されている。
【０００５】
上記の特許文献１にて開示されているクローザーでは、衝撃緩和装置として、ピストンシリンダが使用されており、その先端が引戸に磁着される。引戸の閉鎖に伴ってピストンシリンダが短縮小し、それによって引戸に制動力が作用する。引戸を開くと、ピストンシリンダが伸長する。
【０００６】
また、特許文献２には、引戸が閉鎖していくとき、戸車が起毛部の摩擦力によって減速される旨が記載されている。
【０００７】
【特許文献１】特開２００２−３４９１２８
【０００８】
【特許文献２】実用新案登録第３０４０８０２
【発明の開示】
【発明が解決しようとする課題】
【０００９】
しかしながら、上記特許文献１に係る引戸用クローザーでは、引戸を開くときにピストンシリンダが伸長されるので、この伸張したピストンシリンダが抵抗となり、結果的に引戸をスムーズに開くことができない。
【００１０】
他方、特許文献２に係る引戸用クローザーでは、起毛部は抵抗となって、引戸が閉まるときには緩衝するが、引戸を開くときにも抵抗となり、やはり引戸をスムーズに開くことができない。
【００１１】
本発明は、上記技術的課題に鑑みなされたもので、引戸を確実に閉めることができ、なおかつ、引戸をスムーズに開くことができる引戸用クローザーを提供することを目的とする。
【課題を解決するための手段】
【００１２】
上記目的を達成するため、本発明は、枠体に対して開方向および閉方向にスライド自在に支持された引戸が閉められる際に、引戸が閉まろうとする力を緩和させながら全閉位置に導くためのクローザーにおいて、上記枠体の上枠の閉方向端部に形成された第１の収容凹部に固定される固定フレームと、この固定フレームの閉方向端部に対して基端部が支軸線周りに回動自在に取り付けられた可動フレームであって、上記引戸が閉まろうとする際に引戸の開閉方向に沿う第１の姿勢から下向きに回動して第１の姿勢と交差する方向に沿う第２の姿勢をとることによって当該引戸を閉方向に引き寄せる一方、上記引戸が開こうとする際に第２の姿勢から上向きに回動して第１の姿勢に戻る可動フレームと、この可動フレームを上記第１の姿勢から下向きに回動するように付勢するための付勢体と、上記可動フレームを上記第１の姿勢に保持するための係止手段と、上記引戸の閉方向側縦枠の上端部に形成された第２の収容凹部において上記第１の姿勢に保持されている上記可動フレームの先端に対向するように配置される衝撃吸収手段であって、上記引戸が閉まるときに、上記可動フレームに当接することによってその衝撃を緩和すると共に上記係止手段による上記可動フレームの保持を解除するための衝撃吸収手段と、上記第２の収容凹部において上記衝撃吸収手段よりも上記引戸の閉方向下流側に配置される案内面を含み、この案内面と上記衝撃吸収手段との間で上記可動フレームの係合空間を区画するガイド部材と、を備え、上記可動フレームの先端部には、上記案内面と摺接して転動する転動体が取り付けらており、上記案内面は、上記引戸の閉動作に伴って上記可動フレームが下向きに回動して上記第１の姿勢から上記第２の姿勢に切り替えられるとき、および上記引戸の開動作に伴って上記可動フレームが上向きに回動して上記第２の姿勢から上記第１の姿勢に切り替えられるときの、上記転動体の転動軌跡に沿った凸状面をなしている。
【００１３】
上記構成において、引戸が開いている場合、可動フレームは、係止手段により引戸の開閉方向に沿った第１の姿勢（水平姿勢）に保持されている。引戸が閉まるとき、引戸側の衝撃吸収手段が可動フレームの先端に当接する。このとき、引戸の閉動作に伴う衝撃は吸収されると共に、係止手段による可動フレームの保持が解除される。そうすると、可動フレームの転動体が引戸に係合することによって、引戸の移動が規制される。ここで、可動フレームは、付勢体の付勢力によって下向きに回動するのに伴い、引戸に係合する。そうすると、引戸は、閉方向に引き寄せられ、自動的に閉まる。このとき、可動フレームは、第１の姿勢と交差する方向に沿った第２の姿勢（下向姿勢）をとる。引戸が開くとき、可動フレームは、引戸の開こうとする力により上向きに回動し、可動フレームの係合が解除され、第１の姿勢に戻る。このような引戸の開閉に伴う連動動作がなされるときに、可動フレームの転動体は、ガイド部材の案内面に摺接しながら転動する。このとき、案内面は、引戸の閉動作に伴って可動フレームが下向きに回動して第１の姿勢から第２の姿勢に切り替えられるときおよび引戸の開動作に伴って可動フレームが上向きに回動して第２の姿勢から上記第１の姿勢に切り替えられるときの、転動体の転動軌跡に沿った凸状面をなしているので、転動体および案内面間で生じる摩擦抵抗は極めて小さく、引戸を開くときには、付勢力に抗する力で引戸を引っ張るだけで、引戸は開方向に向かってスムーズに移動する。
【００１４】
また、可動フレームは、付勢体の付勢力だけでなく自重によっても下向きに回動する。これに伴って、転動体がガイド部材の案内面に沿って下降することにより、引戸が縦枠側に引き寄せられていく。自重が加わることにより、付勢力が小さくても、引戸を自動的に閉めることができる。このとき、可動フレームは、引戸側の第２の収納凹部に侵入していき、引戸が完全に閉まったときには、可動フレームは第２の収納凹部に収容され、引戸からはみ出さない。引戸が全閉すると、付勢体によって可動フレームは、第２の姿勢のまま保持される。
【００１５】
さらに、引戸を開くとき、転動体がガイド部材の案内面に沿って上側に移動する。この際、転動体は、引戸の開方向への移動の妨げにならず、引戸はスムーズに移動する。よって、引戸を引く力は、付勢体の付勢力に打ち勝つだけ力でよく、軽く引戸を開くことができる。
【００１６】
上記付勢体は、上記支軸に取り付けられた第１のねじりばねであり、この第１のねじりばねの一端が上記固定フレームに当接し、他端が上記可動フレームに当接して、当該第１のねじりばねは、上記可動フレームを下向きに回動させ、上記係止手段は、上記固定フレームの開方向端部に形成された引掛片と、上記転動体の回転中心軸周りに回動自在に取り付けられたフックと、フックが上記引掛片に係止する方向に回動するように当該フックを付勢する板ばねとを含み、上記フックが引掛片に係止することによって上記可動フレームの第１の姿勢が保持され、上記衝撃吸収手段は、上記フックによる上記可動フレームの保持を解除する解除体と、一端が上記第２の収容凹部の壁面に当接しており、他端が上記解除体に当接して、当該解除体を上記フックに当接する方向に付勢する第２のねじりばねと、を含み、解除体が上記フックに当接すると、上記板ばねの付勢力に抗して当該フックが回動されて上記引掛片から離間する。
【００１７】
上記構成において、引戸を閉めると、まず、引戸側の解除体が可動フレームに当接する。すると、解除体は、フックに作用して、フックの引掛片に対する係止を解除する。その結果、可動フレームは、回動可能となって、第１のねじりばねの付勢力によって回動し、可動フレームの転動体が引戸に係合することになる。また、引戸が勢いよく閉められたとき、引戸は可動フレームに衝突するが、このときに解除体が可動フレームに当接するので、第２のねじりばねの弾性力により衝撃が緩和される。
【００１８】
他方、引戸が開いて、転動体がガイド部材の案内面から離間するとき、解除体がフックに当接し、フックを板ばねの付勢力に抗して回動させる。さらに引戸が開いて、解除体がフックから離間すると、板ばねの付勢力によってフックが元に戻るように回動する。このとき、フックが引掛片に係止され、可動フレームは第１の姿勢に保持される。
【００１９】
上記引戸用クローザーは、上記衝撃吸収手段およびガイド部材を上記第２の収容凹部内に装着するためのガイドフレームと、このガイドフレームの閉方向側の面に取り付けられる当該ガイドフレームの取付位置を調整するための目盛り板と、をさらに含む。
【００２０】
上記構成において、目盛り板は、ガイドフレームを枠体に設けられた可動フレームに合わせるときの目安となる。使用しているうちに振動等によってガイドフレームの位置がずれてくる場合がある。このようなとき、目盛り板を利用して、ガイドフレームを元の位置に調整することができ、現場での作業性が向上する。
【発明の効果】
【００２１】
本発明では、引戸に対して可動フレームの転動体が係合し、引戸の開閉に際して抵抗とならないようにしている。そのため、小さな付勢力であっても可動フレームの自重による力も加わって、引戸を引き寄せながら可動フレームを回動でき、引戸を自動的に閉めることができる。また、引戸を開くときには、小さな付勢力に打ち勝つだけの力で引戸を引けば、引戸を軽く開くことができる。したがって、引戸の開閉はスムーズなものとなる。
【発明を実施するための最良の形態】
【００２２】
以下、本発明の実施の形態を添付図面に基づき詳細に説明する。
【００２３】
図１に本発明のクローザーを有する下荷重式引戸１を示す。引戸１は、建物等の開口に取り付けられた上下の枠体２にスライド自在に支持され、引戸１の下部に戸車３が装着され、スムーズに開方向あるいは閉方向にスライドする。
【００２４】
枠体２の上枠４の閉方向端部に、第１の収容凹部５が設けられ、引戸１の閉方向側縦枠の上端に第２の収容凹部６が設けられる。
【００２５】
クローザーは、図２〜図５に示すように、主として以下の要素を備えている。
（１）第１の収容凹部５に固定される固定フレーム１０
（２）固定フレーム１０の閉方向端部に対して基端部が支軸１１周りに回動自在に取り付けられた可動フレーム１２
（３）可動フレーム１２を第１の姿勢（水平姿勢）から下向きに回動するように付勢するための付勢体としての第１のねじりばね１３と、
（４）可動フレーム１２を水平姿勢に保持するための係止手段１４
（５）引戸１が閉まるときに、可動フレーム１２に当接することによってその衝撃を緩和すると共に係止手段１４による可動フレーム１２の保持を解除するための衝撃吸収手段１５
（６）第２の収容凹部６において衝撃吸収手段１５よりも引戸１の閉方向下流側に配置される案内面１６を含み、この案内面１６と衝撃吸収手段１５との間で可動フレーム１２の係合空間を区画するガイド部材１７
（７）衝撃吸収手段１５およびガイド部材１７を第２の収容凹部６内に装着するためのガイドフレーム１８
（８）ガイドフレーム１８の閉方向側の面に取り付けられる当該ガイドフレーム１８の取付位置を調整するための目盛り板１９
【００２６】
第１の収容凹部５は、引戸１の上端面と上枠４の溝２０との間に形成された空間であり、平板状の固定フレーム１０が上枠４の溝２０内にねじ止めされる。固定フレーム１０の閉方向端部に、一対の突片２１が形成され、両突片２１の間に支軸１１が差し渡されている。固定フレーム１０の開方向端部は、Ｌ字状に折り曲げられ、引掛片２２とされる。
【００２７】
可動  フレーム１２は、断面コ字状に形成され、その基端部が両突片２１の間に位置して、基端部を支軸１１が貫通している。可動フレーム１２の内側に、第１のねじりばね１３が配置され、第１のねじりばね１３は支軸１１に取り付けられる。この第１のねじりばね１３の一端が固定フレーム１０に当接し、他端が可動フレーム１２の内面に当接している。これによって、第１のねじりばね１３は、可動フレーム１２を下向きに回動させる方向に付勢する。
【００２８】
可動フレーム１２の先端部には、上記案内面１６と摺接して転動する転動体２５が設けられている。係止手段１４は、固定フレーム１０の開方向端部に形成された引掛片２２と、転動体２５の回転中心軸２６周りに回動自在に取り付けられたフック２７と、フック２７が引掛片２２に係止する方向に回動するように当該フック２７を付勢する板ばね２８とからなる。
【００２９】
可動フレーム１２の先端部に、回転中心軸２６が取り付けられ、この回転中心軸２６にフック２７および転動体２５が回動自在に支持される。可動フレーム１２の内側に、フック２７が配され、可動フレーム１２の外側に転動体２５が配される。
【００３０】
フック２７は、引掛片２２に係止される爪部３０と、引戸１の移動に応じて回動する回動部３１と、可動フレーム１２に当接して爪部３０の回動を規制する当接部３２とを有する。爪部３０は、対向するように２つ形成され、当接部３１は、回転中心軸２６を挟んで爪部３０とは反対側に形成される。回動部３１は、後述する解除体４０に係合する傾斜面３３を有し、爪部３０および当接部３２と一体的に形成される。
【００３１】
爪部３０が引掛片２２に引っ掛かったとき、当接部３２が可動フレーム１２に当接して、フック２７の回動を規制する。そして、可動フレーム１２の先端部に設けられた板ばね２８は、逆へ字状に形成され、一端が可動フレーム１２にねじ止めされ、他端が当接部３２に当接している。板ばね２８は、当接部３２を可動フレーム１２に向かって押さえ込むように当接部３２を付勢する。
【００３２】
引戸１における第２の収容凹部６は、引戸１の上端部をくりぬいて形成され、その凹部６の内面を覆うように断面コ字状のガイドフレーム１８がねじ止めされる。
【００３３】
衝撃吸収手段１５は、フック２７による可動フレーム１２の保持を解除する解除体４０と、一端がガイドフレーム１８に当接しており、他端が解除体４０に当接して、当該解除体４０をフック２７に当接する方向に付勢する第２のねじりばね４１とからなる。
【００３４】
解除体４０は、ガイドフレーム１８の内側に差し渡された支持軸４２に回動自在に支持される。この支持軸４２に、第２のねじりばね４１が取り付けられ、解除体４０を閉方向に向かって付勢している。解除体４０の回動を規制するために、ガイドフレーム１８に規制片４３が設けられている。第２のねじりばね４１の付勢力によって、解除体４０の下部が規制片４３に当接して、解除体４０の回動が規制される。解除体４０の上部がフック２７の回動部３１に当接したとき、解除体４０の下部が規制片４３に当接するように、規制片４３は位置決めされている。これにより、引戸１が閉方向に移動するとき、一定位置にある解除体４０がフック２７を押して、フック２７を回動させることができる。このとき、上記規制片４３のフック２７の回動部３１との当接面と反対側の面と、上記第２の収容凹部６との間には、隙間が形成されているので、フック２７の先端部は、規制片４３の隙間側肩部で受け止められる。そのため、この肩部との当接触部分を支点として、上記フック２７の先端部が上記隙間に入り込む。その結果、フック２３の回動は、より円滑となる。
【００３５】
ガイド部材１７は、解除体４０の位置とは反対側のガイドフレーム１８の一側面に沿って配置され、ガイドフレーム１８の一側面に装着されている。ガイドフレーム１８に対して、可動フレーム１２は偏心した位置にあり、ガイド部材１７とこれとは反対側の他側面との間の空間に、可動フレーム１２は侵入可能とされる。
【００３６】
ガイド部材１７の案内面１６は、引戸１の閉動作に伴って可動フレーム１２が下向きに回動して水平姿勢から第２の姿勢（下向姿勢）に切り替えられるとき、および引戸１の開動作に伴って可動フレーム１２が上向きに回動して下向姿勢から水平姿勢に切り替えられるときの、転動体２５の転動軌跡に沿った凸状面をなしている。そして、案内面１６には、上下方向にくぼみ１６ａが形成されており、このくぼみ１６ａに転動体２５が嵌まることにより、転動体２５は横にずれることなく回転しながら移動できる。
【００３７】
目盛り板１９は、引戸１の第２の収容凹部６に取り付けられ、目盛り板１９に、ガイドフレーム１８の閉方向側の端面がねじ止めされる。ねじ孔４５が長孔状に形成されているので、ガイドフレーム１８は、目盛り板１９に対して上下方向に移動可能となる。目盛り板１９には、上下方向に一定間隔の目盛り４６が描かれている。この目盛り４６を基準にして、ガイドフレーム１８を上下に移動させることにより、ガイドフレーム１８を水平姿勢にある可動フレーム１２に合わせることができる。例えば、使用しているうちに振動等によってガイドフレーム１８の位置がずれてくる場合がある。このようなとき、目盛り板１９を利用して、ガイドフレーム１８を元の位置に調整する。なお、調整した後に、ガイドフレーム１８は、第２の収容凹部６に固定される。
【００３８】
上記構成の引戸１を開閉したときの動作を説明する。まず、図１に示すように、引戸１が開いているとき、フック２７の爪部３０は、図２に示すように、引掛片２２に引っ掛かり、フック２７は板ばね２８によりこの状態に保持され、可動フレーム１２は水平姿勢に保持されている。引戸１が閉められると、可動フレーム１２の先端部が引戸１の第２の収容凹部６に進入し、図６に示すように、まず解除体４０がフック２７の回動部３１の下部に接触する。
【００３９】
さらに、引戸１が閉方向に移動すると、図７に示すように、解除体４０の押圧によって回動部３１が反時計回りに回動し、解除体４０が傾斜面３３の上部に達する。回動部３１の回動に伴って、フック２７は、板ばね２８の付勢力に抗して回動し、爪部３０が引掛片２２から離れる。これによって、フック２７の係止が解除され、可動フレーム１２は回動可能となる。
【００４０】
このとき、引戸１が勢いよく閉められると、可動フレーム１２に衝突する。すなわち、解除体４０がフック２７に衝突するが、図８に示すように、解除体４０を支持している第２のねじりばね４１が圧縮されて、衝突時の衝撃を吸収する。
【００４１】
その後、引戸１が閉方向にさらに移動すると、図９に示すように、解除体４０がフック２７の回動部３１に当接したまま、転動体２５がガイド部材１７の案内面１６に接触する。図１０に示すように、可動フレーム１２は、第１のねじりばね１３の付勢力によって下向きに回動するので、転動体２５が案内面１６に沿って転動しながら下向きに移動する。解除体４０がフック２７から離れると、当接部３２が板ばね２８の付勢力によって押さえ込まれ、当接部３２が可動フレーム１２に当接した状態に保持される。そして、引戸１が可動フレーム１２によって閉方向に引き寄せられていく。このとき、第１のねじりばね１３による付勢力だけでなく、可動フレーム１２の自重も加わって、可動フレーム１２は下向きに回動するので、引戸１はスムーズに閉まる。
【００４２】
引戸１は、自動的に閉方向に移動していき、図５に示すように、全閉状態となる。このとき、可動フレーム１２は、下向き姿勢となって、引戸１の第２の収容凹部６内に収容され、引戸１からはみ出さない。そして、第１のねじりばね１３の付勢力によって、転動体２５は案内面１６に押し付けられ、可動フレーム１２はこの姿勢に保持される。
【００４３】
次に、引戸１を開ける場合、引戸１を開方向に移動させると、転動体２５が案内面１６に沿って上方向に移動し、可動フレーム１２も上方向に回動する。このとき、転動体２５は転動しながら移動するので、可動フレーム１２の回動の抵抗にならず、引戸１の移動を妨げない。
【００４４】
引戸１が開方向に移動すると、解除体４０がフック２７の回動部３１に当接し、転動体２５が案内面１６から離れる。解除体４０が回動部３１の傾斜面３３の下部に達すると、回動部３１が解除体４０に押されて回動する。さらに、引戸１が開いて、解除体４０が回動部３１から離れると、板ばね２８の付勢力によってフック２７が引掛片２２に係止する方向に回動し、爪部３０が引掛片２２に引っ掛かる。可動フレーム１２は水平姿勢になって、この姿勢に保持される。
【００４５】
このように、引戸１を開く際、転動体２５は、引戸１の開方向への移動の妨げにならず、引戸１はスムーズに移動する。よって、引戸１を引く力は、第１のねじりばね１３の付勢力に打ち勝つだけ力でよく、軽く引戸１を開くことができる。
【００４６】
なお、本発明は上記実施の形態に限定されるものではない。
【００４７】
例えば、図１１に示すように、衝撃吸収手段１５を、ねじりばねの代わりに、エアーダンパ５０と圧縮コイルばね５１を組み合わせた構成としてもよい。詳細には、解除体４０にエアーダンパ５０のロッド５２が取り付けられ、ロッド５２に圧縮コイルばね５１が取り付けられ、ロッド５２を伸長する方向に付勢している。引戸１を閉めたとき、解除体４０が可動フレーム１２に当接すると、ロッド５２が短縮することにより、衝突時の衝撃が緩和される。その後、圧縮コイルばね５１によってロッド５２が伸長して、解除体４０は、規制片４３に当接した状態に復帰される。
【００４８】
また、上記実施の形態に係るクローザーでは、第１及び第２のねじりばねを使用しているが、コイルばねを使用してもよい。なお、設置スペースを考慮すると、ねじりばねを使用するのが好ましい。
【００４９】
さらに、上記実施の形態では、下荷重式引戸において、一側にクローザーを配置した例について記載したが、上記引戸の両側に配置してもよい。この場合、どちらの方向に開閉してもクローザーが機能する。また、上吊式引戸にクローザーを適用してもよい。
【００５０】
その他、本明細書に添付の特許請求の範囲内での種々の設計変更および修正を加え得ることは勿論である。
【産業上の利用可能性】
【００５１】
本発明は、引戸を確実に閉めることができ、なおかつ、引戸をスムーズに開くことができるゆえ、引戸を自動的に閉めるためのクローザーに関する。
【図面の簡単な説明】
【００５２】
【図１】本発明の実施の形態に係るクローザーが適用される下荷重式引戸を示す図
【図２】引戸が閉まる前のクローザーを示す図
【図３】可動フレームが水平姿勢にあるとき、クロ−ザーを下側から見た図
【図４】可動フレームが水平姿勢にあるとき、クロ−ザーを側面から見た図
【図５】引戸が閉まったときのクローザーを示す図
【図６】クローザーの作動直前の要部拡大図
【図７】クローザーの作動開始時の要部拡大図
【図８】クローザーの衝撃吸収時の要部拡大図
【図９】クローザーの作動途中の要部拡大図
【図１０】可動フレームの転動体の軌跡を示す図
【図１１】他の実施の形態に係るクローザーの衝撃吸収手段の構成を示す図
【符号の説明】
【００５３】
１  引戸
２  枠体
１０  固定フレーム
１２  可動フレーム
１３  第１のねじりばね
１４  係止手段
１５  衝撃吸収手段
１６  案内面
１７  ガイド部材
１８  ガイドフレーム
１９  目盛り板
２２  引掛片
２５  転動体
２７  フック
２８  板ばね
４０  解除体
４１  第２のねじりばね
【図１】
2006063719.tif 000003
【図２】
2006063719.tif 000004
【図３】
2006063719.tif 000005
【図４】
2006063719.tif 000006
【図５】
2006063719.tif 000007
【図６】
2006063719.tif 000008
【図７】
2006063719.tif 000009
【図８】
2006063719.tif 000010
【図９】
2006063719.tif 000011
【図１０】
2006063719.tif 000012
【図１１】
2006063719.tif 000013